(57)【要約】 【課題】  液晶ディスプレイ装置を駆動する集積回路を提供する。【解決手段】  パネル、前記パネルに複数の制御信号を提供するタイミング制御装置、複数のビデオ信号を受け、複数の解読したビデオ信号を前記パネルに提供するビデオチップ、基準クロック周波数を提供する位相ロックループ、及び前記制御信号とビデオ信号を受け、前記パネルを駆動するソースドライバを含み、前記タイミング制御装置、ビデオチップと、位相ロックループは全て、前記ソースドライバの中に組み込まれ、統合して集積回路を成す液晶ディスプレイ装置。【選択図】      図２
2006003894.tif 000002
【特許請求の範囲】
【請求項１】
パネル、
前記パネルに複数の制御信号を提供するタイミング制御装置、
複数のビデオ信号を受け、複数の解読されたビデオ信号を前記パネルに提供するビデオチップ、
基準クロック周波数を提供する位相ロックループ、及び、
前記制御信号とビデオ信号を受け、前記パネルを駆動するソースドライバを含み、
前記タイミング制御装置、前記ビデオチップ、前記位相ロックループの全てが前記ソースドライバの中に組み込まれ、統合して集積回路を形成している液晶ディスプレイ装置。
【請求項２】
液晶ディスプレイ装置に電源を提供する単一の電圧源を更に含む請求項１に記載の液晶ディスプレイ装置。
【請求項３】
集積回路の中に組み込まれるパワーチップを更に含む請求項１又は請求項２に記載の液晶ディスプレイ装置。
【請求項４】
集積回路の中に組み込まれる共通電圧回路を更に含む請求項１〜請求項３のいずれか1項に記載の液晶ディスプレイ装置。
【請求項５】
集積回路の中に組み込まれる発光ダイオードドライバを更に含む請求項１〜請求項４のいずれか1項に記載の液晶ディスプレイ装置。
【請求項６】
集積回路の中に組み込まれるシリアルプログラマブルインターフェースを更に含む請求項１〜請求項５のいずれか1項に記載の液晶ディスプレイ装置。
【請求項７】
集積回路の中に組み込まれる同期分離器を更に含む請求項１〜請求項６のいずれか1項に記載の液晶ディスプレイ装置。
【請求項８】
パネル、及び、前記パネルを駆動する駆動システムを含み、
前記駆動システムは、
前記パネルに複数の制御信号を提供するタイミング制御装置、
複数のビデオ信号を受け、複数の解読されたビデオ信号を前記パネルに提供するビデオチップ、
基準クロック周波数を提供する位相ロックループ、及び、
前記制御信号とビデオ信号を受け、前記パネルを駆動するソースドライバを含む液晶ディスプレイ装置。
【請求項９】
タイミング制御装置、ビデオチップ、位相ロックループ、ソースドライバの全てが集積回路の中に組み込まれる請求項８に記載の液晶ディスプレイ装置。
【請求項１０】
集積回路の中に組み込まれるパワーチップを更に含む請求項９に記載の液晶ディスプレイ装置。
【請求項１１】
集積回路の中に組み込まれる共通電圧回路を更に含む請求項９又は請求項１０に記載の液晶ディスプレイ装置。
【請求項１２】
集積回路の中に組み込まれる発光ダイオードドライバを更に含む請求項９〜請求項１１のいずれか1項に記載の液晶ディスプレイ装置。
【請求項１３】
集積回路の中に組み込まれるシリアルプログラマブルインターフェースを更に含む請求項９〜請求項１２のいずれか1項に記載の液晶ディスプレイ装置。
【請求項１４】
集積回路の中に組み込まれる同期分離器を更に含む請求項９〜請求項１３のいずれか1項に記載の液晶ディスプレイ装置。
【請求項１５】
パネル、
電源を提供する単一の電圧源、及び、前記単一の電圧源が提供する電源を受けて前記パネルを駆動する駆動システムを含み、
前記駆動システムは、
複数の同期信号を分離する同期分離器、
前記パネルに複数の制御信号を提供するタイミング制御装置、
複数のビデオ信号を受け、複数の解読されたビデオ信号を前記パネルに提供するビデオチップ、
基準クロック周波数を提供する位相ロックループ、及び、
前記制御信号とビデオ信号を受け、前記パネルを駆動するソースドライバを含み、
前記同期分離器、タイミング制御装置、位相ロックループ、ソースドライバは、集積回路の中に組み込まれている液晶ディスプレイ装置。
【請求項１６】
集積回路の中に組み込まれるビデオチップを更に含む請求項１５に記載の液晶ディスプレイ装置。
【請求項１７】
集積回路の中に組み込まれるパワーチップを更に含む請求項１５又は請求項１６に記載の液晶ディスプレイ装置。
【請求項１８】
集積回路の中に組み込まれる共通電圧回路を更に含む請求項１５〜請求項１７のいずれか1項に記載の液晶ディスプレイ装置。
【請求項１９】
集積回路の中に組み込まれる発光ダイオードドライバを更に含む請求項１５〜請求項１８のいずれか1項に記載の液晶ディスプレイ装置。
【請求項２０】
集積回路の中に組み込まれるシリアルプログラマブルインターフェースを更に含む請求項１５〜請求項１９のいずれか1項に記載の液晶ディスプレイ装置。
【発明の詳細な説明】
【技術分野】
【０００１】
本発明は、集積回路に関し、特に、液晶ディスプレイ装置を駆動する集積回路に関するものである。
【背景技術】
【０００２】
図１は、液晶ディスプレイ装置のブロック図を示している。液晶ディスプレイ装置１０は、液晶ディスプレイパネル１２と駆動システム１４を含む。液晶ディスプレイパネル１２は、ゲートドライバ１２−２とソースドライバ１２−４を有する。駆動システム１４は、フレキシブルプリント回路１６の上に設置され、前記フレキシブルプリント回路１６は、液晶ディスプレイパネル１２の外部に形成される。駆動システム１４は、電源回路１４−１、ビデオチップ１４−２、タイミング発生器１４−３、位相ロックループ１４−４、共通電圧回路１４−５、発光ダイオードドライバ１４−６と、シリアルプログラマブルインターフェース（ＳＰＩ  Ｉ／Ｆ）１４−７を有する。駆動システム１４は、画像信号Ｒ、Ｇ、Ｂ、制御信号Ｈ、Ｖ、クロック信号Ｃｌｏｃｋ１〜Ｃｌｏｃｋ３と、電源信号ＶＧＨ、ＶＧＩ、ＶＣＣ、ＧＮＤを液晶ディスプレイパネル１２に提供する。液晶ディスプレイ装置１０は、例えば、１５Ｖ、−１０Ｖと５Ｖなどの異なる電圧レベルを有する多電圧環境の中で操作される。これらの異なる電圧レベルは、外部装置から提供されるもので、外部装置は、管理コストの増加を招く可能性がある。また、電源回路１４−１、ビデオチップ１４−２、タイミング発生器１４−３、位相ロックループ１４−４、共通電圧回路１４−５、発光ダイオードドライバ１４−６と、シリアルプログラマブルインターフェース（ＳＰＩ  Ｉ／Ｆ）１４−７は、全て異なる集積回路からなるため、使用スペースの増加を招く。
【発明の開示】
【発明が解決しようとする課題】
【０００３】
上記従来の問題を防ぐ液晶ディスプレイ装置を駆動する集積回路を提供する。
【課題を解決するための手段】
【０００４】
本発明は、パネル、タイミング制御装置、ビデオチップ、位相ロックループと、ソースドライバを含む液晶ディスプレイ装置を提供する。タイミング制御装置は、制御信号をパネルに提供する。ビデオチップは、ビデオ信号を受け、解読したビデオ信号をパネルに提供する。位相ロックループは、基準クロック周波数を提供する。ソースドライバは、制御信号とビデオ信号を受け、パネルを駆動する。タイミング制御装置、ビデオチップと、位相ロックループは、全てソースドライバの中に組み込まれ、統合して集積回路を成す。本発明の液晶ディスプレイ装置は、電源を液晶ディスプレイ装置に提供する単一の電圧源を含む。本発明の液晶ディスプレイ装置はまた、前記集積回路の中に組み込まれるパワーチップを含む。
【０００５】
また、本発明は、パネルと駆動システムを含む液晶ディスプレイ装置を提供する。本発明の駆動システムは、パネル、タイミング制御装置、ビデオチップ、位相ロックループと、ソースドライバを含む。タイミング制御装置は、制御信号をパネルに提供する。ビデオチップは、ビデオ信号を受け、解読したビデオ信号をパネルに提供する。位相ロックループは、基準クロック周波数を提供する。ソースドライバは、制御信号とビデオ信号を受け、パネルを駆動する。
【０００６】
更に、本発明は、パネル、単一の電圧源と駆動システムを含む液晶ディスプレイ装置を提供する。駆動システムは、単一の電圧源を受け、電源を提供し、パネルを駆動する。駆動システムは、同期分離器、タイミング制御装置、ビデオチップ、位相ロックループと、ソースドライバを含む。同期分離器は、同期信号を分離する。タイミング制御装置は、制御信号をパネルに提供する。ビデオチップは、ビデオ信号を受け、解読したビデオ信号をパネルに提供する。位相ロックループは、基準クロック周波数を提供する。ソースドライバは、制御信号とビデオ信号を受け、パネルを駆動する。同期分離器、タイミング制御装置、位相ロックループと、ソースドライバは、全て前記集積回路の中に組み込まれる。
【発明の効果】
【０００７】
本発明の液晶ディスプレイ装置によれば、単一の電圧源の状態で操作することができ、消費電力を低下させ、電源管理を改善させることができる。
【発明を実施するための最良の形態】
【０００８】
本発明についての目的、特徴、長所が一層明確に理解されるよう、以下に実施形態を例示し、図面を参照にしながら、詳細に説明する。
【０００９】
実施例１：図２は、本発明の液晶ディスプレイ装置の実施例１を示している。液晶ディスプレイ装置３０は、液晶ディスプレイパネル３２、駆動システム３４と、フレキシブルプリント回路板３６を含む。液晶ディスプレイパネル３２は、ゲートドライバ３２−２とソースドライバ３２−４を有する。駆動システム３４は、電源回路３４−１、ビデオチップ３４−２、タイミング発生器３４−３、位相ロックループ３４−４、共通電圧回路３４−５、発光ダイオードドライバ３４−６と、シリアルプログラマブルインターフェース（ＳＰＩ  Ｉ／Ｆ）３４−７を有する。フレキシブルプリント回路板３６は、アナログ信号Ｒ、Ｇ、Ｂ、同期信号Ｈｓ、Ｖｓと、電源信号ＶＣＣ、ＧＮＤを提供する。本実施例では、ビデオチップ３４−２、タイミング発生器３４−３、位相ロックループ３４−４は、少なくとも一つのソースドライバ３２−４の中に組み込まれ、統合して集積回路を成す。また、共通電圧回路３４−５、発光ダイオードドライバ３４−６、又は、シリアルプログラマブルインターフェース（ＳＰＩ  Ｉ／Ｆ）３４−７も集積回路の中に組み込まれることができる。駆動システム３４は、同期分離器（未表示）を更に含み、これも集積回路の中に組み込まれることができる。
【００１０】
実施例２：図３は、本発明の液晶ディスプレイ装置の実施例２を示している。液晶ディスプレイ装置５０は、液晶ディスプレイパネル５２、駆動システム５４と、電圧源５６を含む。駆動システム５４は、電源回路５４−１、ビデオチップ５４−２、タイミング発生器５４−３、位相ロックループ５４−４、共通電圧回路５４−５、発光ダイオードドライバ５４−６、シリアルプログラマブルインターフェース（ＳＰＩ  Ｉ／Ｆ）５４−７と、同期分離器５４−８を有する。電圧源５６は、例えば、約１.８Ｖ〜５Ｖの間にある電圧範囲の中に位置する電圧信号を提供する。電源回路５４−１は、パルス幅変調器からなることができ、電圧源５６からの電圧信号を受け、例えば、変調後の電圧レベルが約１５Ｖ、７．５Ｖと−１０Ｖの変調後の電圧レベルを液晶ディスプレイパネル５２に提供する。
【００１１】
ビデオチップ５４−２は、アナログ信号Ｒ、Ｇ、Ｂを有する画像信号、輝度／クロミナンス信号（ｌｕｍｉｎａｎｃｅ／ｃｈｒｏｍｉｎａｎｃｅ；ＹＣ）、コンポジット・ビデオ信号（ＣＶＳ）と、カラー信号ＹＣｂＣｒを受けるビデオデコーダからなることができ、交替したアナログ信号Ｒ、Ｇ、Ｂを液晶ディスプレイパネル５２に提供する。タイミング発生器５４−３は、制御信号を液晶ディスプレイパネル５２に提供する。位相ロックループ５４−４は、基準クロック周波数をビデオチップ５４−２と同期分離器５４−８に提供する。共通電圧回路５４−５は、共通電圧増幅器（ｃｏｍｍｏｎ  ｖｏｌｔａｇｅ  ａｍｐｌｉｆｉｅｒ）からなることができ、ライン反転の期間に共通電圧信号を液晶ディスプレイパネル５２に提供する。発光ダイオードドライバ５４−６は、光源５８を駆動し、液晶ディスプレイパネル５２を点灯する。シリアルプログラマブルインターフェース（ＳＰＩ  Ｉ／Ｆ）５４−７は、Ｉ２Ｃバスインターフェースからなることができ、Ｉ２Ｃ信号Ｓ１２Ｃを受け、使用頻度を設定する。同期分離器５４−８は、垂直同期信号から水平同期信号を分離する。
【００１２】
本発明のビデオチップ５４−２、タイミング発生器５４−３、位相ロックループ５４−４は、液晶ディスプレイ装置５０の少なくとも一つのソースドライバ（未表示）の中に組み込まれ、統合して集積回路を成すことができる。また、電源回路５４−１、共通電圧回路５４−５、発光ダイオードドライバ５４−６、シリアルプログラマブルインターフェース（ＳＰＩ  Ｉ／Ｆ）５４−７と、同期分離器５４−８も集積回路の中に組み込まれることができる。また、上述の統合をした後、液晶ディスプレイ装置５０は、単一の電圧源５８の状態で操作することができ、消費電力を低下させ、電源管理を改善させる。
【図面の簡単な説明】
【００１３】
【図１】従来の液晶ディスプレイ装置のブロック図を示している。
【図２】本発明の液晶ディスプレイ装置の実施例１を示している。
【図３】本発明の液晶ディスプレイ装置の実施例２を示している。
【符号の説明】
【００１４】
１０、３０、５０  液晶ディスプレイ装置
１２、３２、５２  液晶ディスプレイパネル
１２−２、３２−２  ゲートドライバ
１２−４、３２−４  ソースドライバ
１４、３４、５４  駆動システム
１４−１、３４−１、５４−１  電源回路
１４−２、３４−２、５４−２  ビデオチップ
１４−３、３４−３、５４−３  タイミング発生器
１４−４、３４−４、５４−４  位相ロックループ
１４−５、３４−５、５４−５  共通電圧回路
１４−６、３４−６、５４−６  発光ダイオードドライバ
１４−７、３４−７、５４−７、シリアルプログラマブルインターフェース
１６、３６  フレキシブルプリント回路
５４−８  同期分離器
５６  電圧源
５８  光源
【図１】
2006003894.tif 000003
【図２】
2006003894.tif 000004
【図３】
2006003894.tif 000005